(57)【要約】      （修正有）【課題】スプレーおよび濾過メッシュの取り付けおよび取外し操作が容易になり、メンテナンスや交換を便利に行うことができるスプレー式空気除塵装置を提供する。【解決手段】底板１の上方における左側寄りに均一に４個の配置柱３が設けられており、４個の配置柱の内側にそれぞれ支持柱配置溝が設けられ、４個の支持柱配置溝の内側にそれぞれ支持柱が設けられ、横方向および縦方向に隣り合う支持柱の間にそれぞれネジロッド５が設けられ、配置柱の内側且つネジロッドに対応する位置にネジロッド配置溝が設けられている。各ネジロッドにおける配置柱寄り側にそれぞれネジヘッド４が設けられ、４個の配置柱の上方に濾過室７が設けられ、濾過室の左側に入気口６が設けられ、濾過室における入気口と反対側且つ底板の上方に位置する位置にスプレー室１０が設けられる。濾過室とスプレー室の間は連通管８を介して接続され、スプレー室の上方に水箱９が設けられる。【選択図】図１
0003224361.tif 000002
【実用新案登録請求の範囲】
【請求項１】
底板（１）を含むスプレー式空気除塵装置であって、前記底板（１）の上方における左
側寄りに均一に４個の配置柱（３）が設けられており、４個の前記配置柱（３）の内側に
それぞれ支持柱配置溝（２５）が設けられており、４個の前記支持柱配置溝（２５）の内
側にそれぞれ支持柱（２４）が設けられており、横方向および縦方向に隣り合う前記支持
柱（２４）の間にそれぞれネジロッド（５）が設けられており、前記配置柱（３）の内側
且つネジロッド（５）に対応する位置にネジロッド配置溝（２３）が設けられており、各
前記ネジロッド（５）における配置柱（３）寄り側にそれぞれネジヘッド（４）が設けら
れており、４個の前記配置柱（３）の上方に濾過室（７）が設けられており、前記濾過室
（７）の左側に入気口（６）が設けられており、前記濾過室（７）における入気口（６）
と反対側且つ底板（１）の上方に位置する位置にスプレー室（１０）が設けられており、
前記濾過室（７）とスプレー室（１０）の間は連通管（８）を介して接続されており、前
記スプレー室（１０）の上方に水箱（９）が設けられており、前記スプレー室（１０）に
おける濾過室（７）と反対側に且つ上方寄りに位置する位置に出気口（１２）が設けられ
ており、前記スプレー室（１０）と水箱（９）における濾過室（７）と反対側に循環水管
（１１）が設けられており、前記循環水管（１１）は水箱（９）とスプレー室（１０）を
連通しており、前記スプレー室（１０）の前側にドア（２）が設けられており、前記スプ
レー室（１０）の内側における下方寄りの位置に篩網（１６）が設けられており、前記篩
網（１６）の左右両側にそれぞれＴ形スライダー（１９）が設けられており、前記スプレ
ー室（１０）の左右側壁内側且つＴ形スライダー（１９）に対応する位置にＴ形スライド
溝（２０）が設けられており、前記Ｔ形スライダー（１９）の底部にボール（２１）が設
けられており、前記Ｔ形スライダー（１９）の内側且つボール（２１）に対応する位置に
ボール溝（２２）が設けられており、前記スプレー室（１０）の上方における中間寄りの
位置に通水管（１５）が設けられており、前記通水管（１５）はスプレー室（１０）の上
側壁を貫通して水箱（９）の内側まで延出しており、前記通水管（１５）における水箱（
９）と反対側に集水管（１４）が設けられており、前記集水管（１４）の下方に均一に若
干ののスプレー（１３）が設けられており、前記スプレー（１３）における上方寄りの外
側に外ネジ（１８）が設けられ、前記集水管（１４）の内側且つ外ネジ（１８）に対応す
る位置に内ネジ（１７）が設けられていることを特徴とするスプレー式空気除塵装置。
【請求項２】
前記ネジヘッド（４）の内側且つネジロッド（５）に対応する位置にネジ穴が設けられ
ており、前記ネジ穴の内側に第一の内ネジが設けられており、前記ネジヘッド（４）の外
側に第一の外ネジが設けられており、前記第一の内ネジと第一の外ネジが相互に噛み合っ
ていることを特徴とする請求項１に記載のスプレー式空気除塵装置。
【請求項３】
前記ドア（２）とスプレー室（１０）の間は回動軸を介して回転的に接続されており、
前記ドア（２）の内側に止め封止パッドが設けられており、且つドア（２）の外側におけ
る中間位置に取手が設けられており、前記取手におけるドア（２）寄り側にラッチが設け
られていることを特徴とする請求項１に記載のスプレー式空気除塵装置。
【請求項４】
前記スプレー（１３）の下側壁は弧形構成として設置されており、前記スプレー（１３
）の下側壁内側に均一に若干のの出水穴が設けられていることを特徴とする請求項１に記
載のスプレー式空気除塵装置。
【請求項５】
前記ボール溝（２２）は弧形構成として設置されており、且つボール溝（２２）の中心
軸線とボール（２１）の中心軸線は重合しており、前記ボール（２１）における三分の二
の部分がボール溝（２２）の内側に位置されていることを特徴とする請求項１に記載のス
プレー式空気除塵装置。
【請求項６】
前記ネジロッド配置溝（２３）の横断面は長方形構成として設置されており、前記ネジ
ロッド配置溝（２３）の横断面積はネジロッド（５）の横断面積より略大面積であること
を特徴とする請求項１に記載のスプレー式空気除塵装置。
【考案の詳細な説明】
【技術の分野】
【０００１】
本実用新案は空気除塵の技術分野に関し、具体的にスプレー式空気除塵装置に関する。
【従来の技術】
【０００２】
科学技術の発展につれて、人々の生活の質に対する要求が絶えず高まっている。その中
で、空気の質量に対する要求もますます高くなっている。綺麗な空気を得るためには、空
気除塵装置を用いられている。スプレー式空気除塵装置は広範囲に使用される一種類の空
気除塵装置である。ところが、従来のスプレー式空気除塵装置はいくつかの欠陥がある。
【０００３】
従来のスプレー式空気除塵装置（特許文献中国特許出願ＣＮ２０１７２１８３４１５９
．９を参考する）は以下の課題がある。
１）  従来のスプレー式空気除塵装置は、スプレー室内側のスプレーヘッドおよび篩網
の取外しが不便で、定期的に清潔、メンテナンスや交換を便利に行うことができなく、長
期間に使用すれば、装置全体の工作効率に悪影響を与える。
２）  従来のスプレー式空気除塵装置は、濾過箱の構成が複雑で、取り外しと取り付け
はいずれも数多くの人が同時に協働しておこなわれなければならなく、人力の無駄となる
。    
【先行技術文献】
【特許文献】
【０００４】
【特許文献１】中国特許出願ＣＮ２０１７２１８３４１５９．９
【考案の概要】
【０００５】
上記従来の技術に提出した課題を解決するために、本実用新案は以下の技術を提出して
いる。すなわち、スプレー式空気除塵装置は、スプレーおよび濾過メッシュの取り付け操
作および取外し操作が容易になり、定期的に清潔、メンテナンスや交換を便利に行うこと
ができ、工作効率を保証し、濾過箱の取り付けおよび取り外しは一人でやられるようにな
り、大幅に人の労働を節約する。
【０００６】
上記の目的を達成するために、本実用新案はスプレー式空気除塵装置を提出している。
底板を含むスプレー式空気除塵装置であって、前記底板の上方における左側寄りに均一に
４個の配置柱が設けられており、４個の前記配置柱の内側にそれぞれ支持柱配置溝が設け
られており、４個の前記支持柱配置溝の内側にそれぞれ支持柱が設けられており、横方向
および縦方向に隣り合う前記支持柱の間にそれぞれネジロッドが設けられており、前記配
置柱の内側且つネジロッドに対応する位置にネジロッド配置溝が設けられており、各前記
ネジロッドにおける配置柱寄り側にそれぞれネジヘッドが設けられており、４個の前記配
置柱の上方に濾過室が設けられており、前記濾過室の左側に入気口が設けられており、前
記濾過室における入気口と反対側且つ底板の上方に位置する位置にスプレー室が設けられ
ており、前記濾過室とスプレー室の間は連通管を介して接続されており、前記スプレー室
の上方に水箱が設けられており、前記スプレー室における濾過室と反対側に且つ上方寄り
に位置する位置に出気口が設けられており、前記スプレー室と水箱における濾過室と反対
側に循環水管が設けられており、前記循環水管は水箱とスプレー室を連通しており、前記
スプレー室の前側にドアが設けられており、前記スプレー室の内側における下方寄りの位
置に篩網が設けられており、前記篩網の左右両側にそれぞれＴ形スライダーが設けられて
おり、前記スプレー室の左右側壁内側且つＴ形スライダーに対応する位置にＴ形スライド
溝が設けられており、前記Ｔ形スライダーの底部にボールが設けられており、前記Ｔ形ス
ライダーの内側且つボールに対応する位置にボール溝が設けられており、前記スプレー室
の上方における中間寄りの位置に通水管が設けられており、前記通水管はスプレー室の上
側壁を貫通して水箱の内側まで延出しており、前記通水管における水箱と反対側に集水管
が設けられており、前記集水管の下方に均一に若干ののスプレーが設けられており、前記
スプレーにおける上方寄りの外側に外ネジが設けられ、前記集水管の内側且つ外ネジに対
応する位置に内ネジが設けられている。
【０００７】
好ましくは、前記ネジヘッドの内側且つネジロッドに対応する位置にネジ穴が設けられ
ており、前記ネジ穴の内側に第一の内ネジが設けられており、前記ネジヘッドの外側に第
一の外ネジが設けられており、前記第一の内ネジと第一の外ネジが相互に噛み合っている
。
【０００８】
好ましくは、前記ドアとスプレー室の間は回動軸を介して回転的に接続されており、前
記ドアの内側に止め封止パッドが設けられており、且つドアの外側における中間位置に取
手が設けられており、前記取手におけるドア寄り側にラッチが設けられている。
【０００９】
好ましくは、前記スプレーの下側壁は弧形構成として設置されており、前記スプレーの
下側壁内側に均一に若干のの出水穴が設けられている。
【００１０】
好ましくは、前記ボール溝は弧形構成として設置されており、且つボール溝の中心軸線
とボールの中心軸線は重合しており、前記ボールにおける三分の二の部分がボール溝の内
側に位置されている。
【００１１】
好ましくは、前記ネジロッド配置溝の横断面は長方形構成として設置されており、前記
ネジロッド配置溝の横断面積はネジロッドの横断面積より略大面積である。
【００１２】
従来の技術と比べて、本実用新案の有益な効果は以下の通りである。
１） 本実用新案は、ドア、内ネジ、外ネジ、Ｔ形スライダー、Ｔ形スライド溝、ボー
ルおよびボール溝等の構成部分を設ける。これら構成部分の相互協力で、スプレーおよび
濾過メッシュの取り付け操作および取外し操作が容易になり、定期的に清潔、メンテナン
スや交換を便利に行うことができることを実現する。
２） 本実用新案は、配置柱、ネジヘッド、ネジロッド、ネジロッド配置溝、支持柱お
よび支持柱配置溝等の構成部分を設ける。これら構成部分の相互協力で、濾過箱の取り付
けと取り外しは一人でもやられるようになる。大幅に人の労働を節約する。
【図面の簡単な説明】
【００１３】
【図１】本実用新案における正面構成模式図。
【図２】本実用新案におけるスプレー装置におけるドアを開いた後の正面図。
【図３】本実用新案の図２Ｂにおける断面構成模式図。
【図４】本実用新案の図２Ｃにおける断面構成模式図。
【図５】本実用新案における支持装置の断面の上面構成模式図。
【図６】本実用新案の図１Ａにおける断面構成模式図。
【考案を実施するための形態】
【００１４】
以下、本実用新案の実施例および附図を利用して、本実用新案実施例中における技術案
をさらに明確的に、十分的に説明する。明らかには、記載した実施例は、単に本実用新案
の一部実施例であり、すべての実施例とは理解してはならない。本実用新案の実施例に基
づいて、本分野の当業者によって創造的な労働を費やさず得られる全ての実施例は、本実
用新案に保護を求める範囲に含まれる。
【００１５】
図１〜６に示すように、本実用新案は以下の技術案を提供する。本実用新案にかかる底
板１を含むスプレー式空気除塵装置は、底板１の上方における左側寄りに均一に４個の配
置柱３が設けられており、４個の配置柱３の内側にそれぞれ支持柱配置溝２５が設けられ
ており、４個の支持柱配置溝２５の内側にそれぞれ支持柱２４が設けられており、横方向
および縦方向に隣り合う支持柱２４の間にそれぞれネジロッド５が設けられており、配置
柱３の内側且つネジロッド５に対応する位置にネジロッド配置溝２３が設けられており、
各ネジロッド５における配置柱３寄り側にそれぞれネジヘッド４が設けられており、４個
の配置柱３の上方に濾過室７が設けられており、濾過室７の左側に入気口６が設けられて
おり、濾過室７における入気口６と反対側且つ底板１の上方に位置する位置にスプレー室
１０が設けられており、濾過室７とスプレー室１０の間は連通管８を介して接続されてお
り、スプレー室１０の上方に水箱９が設けられており、スプレー室１０における濾過室７
と反対側に且つ上方寄りに位置する位置に出気口１２が設けられており、スプレー室１０
と水箱９における濾過室７と反対側に循環水管１１が設けられており、循環水管１１は水
箱９とスプレー室１０を連通しており、スプレー室１０の前側にドア２が設けられており
、スプレー室１０の内側における下方寄りの位置に篩網１６が設けられており、篩網１６
の左右両側にそれぞれＴ形スライダー１９が設けられており、スプレー室１０の左右側壁
内側且つＴ形スライダー１９に対応する位置にＴ形スライド溝２０が設けられており、Ｔ
形スライダー１９の底部にボール２１が設けられており、Ｔ形スライダー１９の内側且つ
ボール２１に対応する位置にボール溝２２が設けられており、スプレー室１０の上方にお
ける中間寄りの位置に通水管１５が設けられており、通水管１５はスプレー室１０の上側
壁を貫通して水箱９の内側まで延出しており、通水管１５における水箱９と反対側に集水
管１４が設けられており、集水管１４の下方に均一に若干ののスプレー１３が設けられて
おり、スプレー１３における上方寄りの外側に外ネジ１８が設けられ、集水管１４の内側
且つ外ネジ１８に対応する位置に内ネジ１７が設けられている。
【００１６】
ネジヘッド４がネジロッド５で回転できるように構成されるために、本実施例において
、好ましくは、ネジヘッド４の内側且つネジロッド５に対応する位置にネジ穴が設けられ
ており、ネジ穴の内側に第一の内ネジが設けられており、ネジヘッド４の外側に第一の外
ネジが設けられており、第一の内ネジと第一の外ネジが相互に噛み合っている。
【００１７】
ドア２の開閉を容易にさせ、かつスプレー室１０全体の密閉性を確保するために、本実
施例において、好ましくは、ドア２とスプレー室１０の間は回動軸を介して回転的に接続
されており、ドア２の内側に止め封止パッドが設けられており、且つドア２の外側におけ
る中間位置に取手が設けられており、取手におけるドア２寄り側にラッチが設けられてい
る。
【００１８】
水の噴出がより均一で、かつ範囲がより広くされるために、本実施例において、好まし
くは、スプレー１３の下側壁は弧形構成として設置されており、スプレー１３の下側壁内
側に均一に若干のの出水穴が設けられている。
【００１９】
ボール２１は、転動効果を確保するとともに、安定的にボール溝２２の内側に配置でき
るように構成されるために、本実施例において、好ましくは、ボール溝２２は弧形構成と
して設置されており、且つボール溝２２の中心軸線とボール２１の中心軸線は重合してお
り、ボール２１における三分の二の部分がボール溝２２の内側に位置されている。
【００２０】
ネジロッド５は、ネジロッド配置溝２３の内側に配置できるとともに、ネジロッド５の
取り出しを容易にするために、本実施例において、好ましくは、ネジロッド配置溝２３の
横断面は長方形構成として設置されており、ネジロッド配置溝２３の横断面積はネジロッ
ド５の横断面積より略大面積である。
【００２１】
本実用新案の動作原理及び使用手順は以下の如くである。本実用新案を応用する時にお
いては、まず、各構成を組立てる。扇風機のスイッチをオンとし、入気口６内に被除塵空
気を通らせる。空気が濾過室７内において濾過され、その一部の粒状物が濾過室７の底部
に落ちて、残った空気が連通管８を経てスプレー室１０の内側に入る。通水管１５上の制
御バルブを開き、水箱９内の水が通水管１５を経て集水管１４に流れ、さらに若干ののス
プレー１３を経て空気に対し均一に噴出する。濾過室７内において濾過されない残った顆
粒が篩網１６の上方にブロックされる。空気中における水に溶解する有害物質がスプレー
水とともにスプレー室１０の底部に落ちる。このときに、水パンプのスイッチをオンとし
、水パンプによりスプレー室１０底部にある水が循環水管１１を経て再び水箱９内に戻っ
てリサイクルされる。処理された後の空気が出気口１２から排出される。装置全体はある
期間で使用された後、取手によりドア２を開き、内ネジ１７と外ネジ１８の相互作用で、
スプレー１３を集水管１４から取り外し、それにおいて形成された垢を清潔する（或いは
それを交換する）。篩網１６を引き動き、Ｔ形スライダー１９をＴ形スライド溝２０内に
摺動させ、ボール２１がＴ形スライド溝２０の底部に転動し（ボール２１がボール溝２２
内側で転動）、これにより篩網１６を取り出し、それにおける顆粒不純物を清潔する（或
いはそれを交換する）。もし濾過室７全体を取りはずす場合、第一の内ネジと第一の外ネ
ジの相互作用でネジロッド５を捻り動き、ネジロッド５がネジヘッド４を摺動させられ、
さらに支持柱２４が緩み状態になり、そして濾過室７を取り出す（支持柱２４が支持柱配
置溝２５に沿って滑り出し、ネジロッド５がネジロッド配置溝２３に沿って滑り出す）。
【００２２】
前記述べたものは、本考案の実施形態だけであり、前記の具体的な実施形態は、普通技
術者は本考案の原理と精神の範疇内において、各種の変形及び修正、置換、変形を行うこ
とができる。本実用新案の保護範囲は、実用新案登録請求の範囲及びその均等物である。
【符号の説明】
【００２３】
１ 底板
２ ドア  
３  配置柱
４  ネジヘッド
５  ネジロッド
６  入気口
７  濾過室
８  連通管
９  水箱
１０  スプレー室
１１  循環水管
１２  出気口
１３  スプレーヘッド
１４  集水管
１５  通水管
１６  篩網
１７  内ネジ
１８  外ネジ
１９ Ｔ形スライダー
２０  Ｔ形スライド溝
２１  ボール
２２  ボール溝
２３  ネジロッド配置溝
２４  支持柱
２５  支持柱配置溝
【図１】
0003224361.tif 000003
【図２】
0003224361.tif 000004
【図３】
0003224361.tif 000005
【図４】
0003224361.tif 000006
【図５】
0003224361.tif 000007
【図６】
0003224361.tif 000008